(57)【要約】【課題】物品ガイドの間隔調節を円滑かつ確実に行ない得るようにする。【解決手段】物品ガイド３０,３０の間隔を調節するガイド調節機構６０は、コンベヤ本体１０に回動自在に配設されて幅方向に延在する操作軸６２と、この操作軸６２の端部に配設された操作ハンドル４８と、物品搬送ラインＬを挟んだ両側における空所Ｓから退避する位置で操作軸６２と交差して延在する一対の作動軸６４,６４と、物品搬送面１２に配設されて各物品ガイド３０を支持するガイド支持部６６とを有する。操作軸６２と各作動軸６４とは、空所Ｓから退避した位置で噛合するウォームギヤ７４とウォームホイール７６とで連繋され、各作動軸６４と各ガイド支持部６６とは、同じく空所Ｓから退避した位置で噛合するピニオンギヤ７８とラックギヤ８０とで連繋される。【選択図】図１
2006143251.tif 000002
【特許請求の範囲】
【請求項１】
コンベヤ本体(10)の物品搬送ライン(L)に沿って延在する空所(S)を設けた物品搬送面(12)と、この物品搬送面(12)の下方に配設されて前記空所(S)を介して上方へ延出し、該物品搬送面(12)に載置された被包装物(M)を押送する押送手段(26)と、前記コンベヤ本体(10)の物品搬送面(12)上に設けられ、物品搬送ライン(L)を挟んで該ライン(L)と交差する幅方向に対向する一対の物品ガイド(30,30)と、前記物品搬送面(12)の下方に配設されて前記夫々の物品ガイド(30,30)に連繋され、両物品ガイド(30,30)を相互に近接または離間移動させて両者間の間隔を調節するガイド調節機構(60)とを有し、物品搬送ライン(L)に沿って物品搬送面(12)上を押送される被包装物(M)の幅方向両側を、間隔調節された前記一対の物品ガイド(30,30)で案内するようにした横型製袋充填機における物品供給コンベヤにおいて、
前記ガイド調節機構(60)は、
前記コンベヤ本体(10)に回動自在に配設されて幅方向に延在し、その一方の端部がコンベヤ本体(10)の一側方に突出している操作軸(62)と、
前記コンベヤ本体(10)から突出した前記操作軸(62)の端部に配設された操作部(48)と、
前記各物品ガイド(30)の下方において回動自在に支持され、物品搬送ライン(L)を挟んだ両側における前記空所(S)から退避する位置で前記操作軸(62)と交差して延在する一対の作動軸(64,64)と、
前記物品搬送面(12)上において前記物品搬送ライン(L)に沿って所要間隔毎に複数個配設されると共に幅方向に移動可能とされ、前記各物品ガイド(30)を対応的に支持するガイド支持部(66,66)と、
前記各操作軸(64)の夫々に配設されたウォームホイール(76)および各ウォームホイール(76)と噛合するよう前記操作軸(62)に配設された一対のウォームギヤ(74,74)と、
前記各ガイド支持部(66)に固定されて該ガイド支持部(66)と一体的に移動するラックギヤ(80)および各ラックギヤ(80)と噛合するよう前記各作動軸(64)に配設されたピニオンギヤ(78)とから構成した
ことを特徴とする横型製袋充填機における物品供給コンベヤ。
【請求項２】
前記物品ガイド(30)の下面に凸部(34)が突設されると共に、該凸部(34)が嵌脱自在に嵌合する凹部(88)が前記ガイド支持部(66)の上面において幅方向の複数箇所に設けられた請求項１記載の横型製袋充填機における物品供給コンベヤ。
【発明の詳細な説明】
【技術分野】
【０００１】
本発明は、横型製袋充填機において被包装物を供給する物品供給コンベヤに関するものである。
【背景技術】
【０００２】
横型製袋充填機には、筒状に成形された筒状フィルムに向けて被包装物を所定間隔毎に搬送する所要長の物品供給コンベヤが具備されている。この物品供給コンベヤは、例えば図５に例示するように、上面に物品搬送面１２を設けたコンベヤ本体１０と、このコンベヤ本体１０における物品搬送面１２の下方に、複数の押送部材(押送手段)２６を所定間隔毎に設けた無端チェン２４が、ガイドレール１４に沿って上流側から下流側へ移動するようになっている。そして各押送部材２６が、物品搬送面１２における物品搬送ラインＬに沿って延在する細長の空所Ｓを介して物品搬送面１２から上方へ突出した状態で移動し、物品搬送面１２上に載置された被包装物Ｍを筒状フィルムに向けて押送するようになっている。
【０００３】
また、前記空所Ｓを挟んで物品搬送面１２の幅方向の左右両側には、各押送部材２６により物品搬送面１２上を押送される被包装物Ｍの側面を案内するための一対の物品ガイド３０,３０が配設されている。これら物品ガイド３０,３０は、コンベヤ本体１０における物品搬送面１２より下方に配設したガイド調節機構４０に連繋され、物品搬送ラインＬを挟んで相互に近接・離間移動が可能に支持されており、押送される被包装物Ｍの幅サイズに応じて両者の間隔を調節し得るようになっている。
【０００４】
前記ガイド調節機構４０としては、例えば図５に示したように、コンベヤ本体１０に対して物品搬送ラインＬと交差する幅方向へ水平に架設され、その長手方向の中間部を境にして正逆ネジが形成されたネジ軸４２と、このネジ軸４２の本体外方へ臨む一端に固定された操作ハンドル４８と、ネジ軸４２の各ネジ部４４に螺合されると共に物品搬送面１２上に突出し、各物品ガイド３０に連結される移動体５０,５０とから構成されている。そして、前記ネジ軸４２およびこれに螺合される各移動体５０は、各物品ガイド３０,３０の長さに応じてコンベヤ本体１０の長手方向へ所要間隔毎に複数組が配設されており、夫々のネジ軸４２はスプロケット５４に巻掛けられた無端チェン５６により連繋されている。これにより、前記操作ハンドル４８の回転操作に基づき、全てのネジ軸４２を一体的に回転させて各移動体５０を幅方向に近接・離間させることで、両物品ガイド３０,３０を常に平行状態で近接・離間させ得るようになっている。
【発明の開示】
【発明が解決しようとする課題】
【０００５】
ところで、前述した従来の物品供給コンベヤＣＶ１では、図５に例示したように、ガイド調節機構４０の各ネジ軸４２が、物品搬送ラインＬに交差してコンベヤ本体１０の幅方向へ延在し、かつ各ネジ軸４２に対して各移動体５０が直接螺合した構成となっている。このため、物品搬送面１２上を移送される際の擦れや噛み込みに起因して被包装物Ｍから脱落した物品カス等の異物が、空所Ｓを介してコンベヤ本体１０の内側へ落下してしまうと、下方で露出状態となっているネジ軸４２における各ネジ部４４のネジ溝に付着し易い構造となっている。故に、物品ガイド３０,３０の位置調節をするために操作ハンドル４８を回転させる際に、ネジ部４４に付着した物品カス等の異物が噛み込まれて各移動体５０の移動を阻害するようになり、大きな操作力が必要となるばかりか、場合によっては操作ハンドル４８による物品ガイド３０,３０の位置決め調節作業が不能となる事態を招来していた。また、ネジ溝に詰まった異物の除去清掃作業を行なう際にも手間取る等の不都合もあった。
【０００６】
従って本発明は、物品搬送ラインに沿って物品搬送面上を押送される被包装物の幅方向両側を案内する物品ガイドの間隔調節を、円滑かつ確実に行ない得るようにした横型製袋充填機における物品供給コンベヤを提供することを目的とする。
【課題を解決するための手段】
【０００７】
前記課題を解決し、所期の目的を達成するため本発明は、
コンベヤ本体の物品搬送ラインに沿って延在する空所を設けた物品搬送面と、この物品搬送面の下方に配設されて前記空所を介して上方へ延出し、該物品搬送面に載置された被包装物を押送する押送手段と、前記コンベヤ本体の物品搬送面上に設けられ、物品搬送ラインを挟んで該ラインと交差する幅方向に対向する一対の物品ガイドと、前記物品搬送面の下方に配設されて前記夫々の物品ガイドに連繋され、両物品ガイドを相互に近接または離間移動させて両者間の間隔を調節するガイド調節機構とを有し、物品搬送ラインに沿って物品搬送面上を押送される被包装物の幅方向両側を、間隔調節された前記一対の物品ガイドで案内するようにした横型製袋充填機における物品供給コンベヤにおいて、
前記ガイド調節機構は、
前記コンベヤ本体に回動自在に配設されて幅方向に延在し、その一方の端部がコンベヤ本体の一側方に突出している操作軸と、
前記コンベヤ本体から突出した前記操作軸の端部に配設された操作部と、
前記各物品ガイドの下方において回動自在に支持され、物品搬送ラインを挟んだ両側における前記空所から退避する位置で前記操作軸と交差して延在する一対の作動軸と、
前記物品搬送面上において前記物品搬送ラインに沿って所要間隔毎に複数個配設されると共に幅方向に移動可能とされ、前記各物品ガイドを対応的に支持するガイド支持部と、
前記各操作軸の夫々に配設されたウォームホイールおよび各ウォームホイールと噛合するよう前記操作軸に配設された一対のウォームギヤと、
前記各ガイド支持部に固定されて該ガイド支持部と一体的に移動するラックギヤおよび各ラックギヤと噛合するよう前記各作動軸に配設されたピニオンギヤとから構成したことを特徴とする。
【発明の効果】
【０００８】
請求項１の発明に係る横型製袋充填機における物品供給コンベヤによれば、物品ガイドの間隔調節を行なうガイド調節機構を、空所から退避した位置で噛合するウォームギヤとウォームホイールとで操作軸と作動軸とを連繋させ、同じく空所から退避した位置で噛合するピニオンギヤとラックギヤとで作動軸と各ガイド支持部とを連繋させた構造としたことにより、被包装物から脱落した物品カス等の異物が空所から落下したとしても、該異物がウォームギヤとウォームホイールおよびピニオンギヤとラックギヤへ付着することが好適に防止される利点がある。従って、物品ガイドの間隔調節作業に支障を来たすことがなく、しかも常に軽い操作力で操作部による調節が可能となるため、女性その他の非力なオペレーターであっても簡易かつ確実に操作を行ない得る等の有益な効果を奏する。
また、請求項２の物品供給コンベヤによれば、ガイド支持部に設けた凹部と物品ガイドに設けた凸部とを嵌脱可能に構成したので、ガイド支持部に対する物品ガイドの取付位置の変更により両物品ガイドの間隔調整幅を大きく変更できると共に、サイズや形状の異なる複数の種類の物品ガイドを準備しておくことにより、被包装物のサイズや形状に適合した物品ガイドを選択的に取付けることも可能となり、様々なサイズの被包装物の案内を好適に行ない得る利点等がある。
【発明を実施するための最良の形態】
【０００９】
次に、本発明に係る横型製袋充填機における物品供給コンベヤにつき、好適な実施例を挙げて、添付図面を参照しながら以下説明する。なお後述する実施例では、図５を引用して説明した従来技術の項における既出の部材・部位と同一の部材・部位については、同一の符号を付して説明する。
【実施例】
【００１０】
図１は、好適実施例に係る物品供給コンベヤＣＶの構成を示すために一部破断および一部省略して示した部分平面図、図２は、物品供給コンベヤＣＶの構成を示すために一部破断および一部省略して示した部分正面図、図３は図１のIII−III線断面図、図４は図１のIV−IV線断面図である。本実施例の物品供給コンベヤＣＶは、横型製袋充填機の製袋部で成形された筒状フィルムに向けて被包装物Ｍを所定間隔毎に搬送するためのものであり、コンベヤ本体１０の物品搬送ラインＬに沿って延在する空所Ｓを設けた物品搬送面１２と、この物品搬送面１２の下方に配設されて空所Ｓを介して上方へ延出し、物品搬送面１２に載置された被包装物Ｍを押送する押送部材(押送手段)２６と、コンベヤ本体１０の物品搬送面１２上に設けられ、物品搬送ラインＬを挟んで該ラインと交差する幅方向に対向する一対の物品ガイド３０,３０と、物品搬送面１２の下方に配設されて夫々の物品ガイド３０,３０に連繋され、両物品ガイド３０,３０を相互に近接または離間移動させて両者間の間隔を調節するガイド調節機構６０とを有している。そして、物品搬送ラインＬに沿って物品搬送面１２上を押送される被包装物Ｍの幅方向の両側(側面)を、間隔調節された一対の物品ガイド３０,３０で案内するよう構成される。
【００１１】
コンベヤ本体１０は、下方に開口した長尺の逆樋状をなす箱状成形体であって、その上面が物品搬送面１２とされている。すなわち、横断面形状が略Ｌ字形に成形されたコンベヤフレーム１６,１６と、夫々のコンベヤフレーム１６,１６の上面に装着される搬送ベッド１８,１８とが、図示省略した横型製袋充填機の本体に対して固定されており、前記搬送ベッド１８,１８により物品搬送面１２が形成されると共に、両搬送ベッド１８,１８の間に前記空所Ｓが開設されている。なお、コンベヤ本体１０の内部には、ガイド調節機構６０の各構成部材を支持するための支持部材１９が、該コンベヤ本体１０の幅方向へ延在した状態で、コンベヤ本体１０の長手方向(物品搬送ラインＬに沿った方向)へ所要間隔毎に配設されている。また空所Ｓの下方には、無端チェン２４の走行を案内するガイドレール１４が、コンベヤ本体１０の長手方向に延在した状態で配設されている。
【００１２】
前記各押送部材２６は、コンベヤ本体１０における物品搬送面１２の下方に配設された物品押送機構２０を構成するもので、前記無端チェン２４に所定間隔毎に取付けられている。これら押送部材２６は、図２および図３等に例示するように、無端チェン２４に取付けられたホルダ２６ａの外面に立設状態で固定された棒状部材２６ｂを備え、ガイドレール１４上を移動する際に該棒状部材２６ｂが物品搬送面１２から所要高さに突出し、該物品搬送面１２上の被包装物Ｍを押送するようになっている。
【００１３】
各物品ガイド３０は、逆トレー状を呈する長尺の部材であって、物品搬送ラインＬに臨む側の側壁部が、被包装物Ｍの側面を案内するガイド面３２となっている。また、各物品ガイド３０の下面(裏面)には、後述するガイド支持部６６の取付台部８４に設けた嵌合孔(凹部)８８に嵌脱可能に嵌合する２つの嵌合ボス(凸部)３４が、物品搬送ラインＬと交差する幅方向に並列的に突設されている。これにより嵌合ボス３４を、ガイド支持部６６の取付台部８４に形成した嵌合孔８８へ対応的に嵌合させることで、該ガイド支持部６６に対して物品ガイド３０を着脱可能に取付け得るようになっている。
【００１４】
次に、本実施例の物品供給コンベヤＣＶにおけるガイド調節機構６０につき、以下詳述する。このガイド調節機構６０は、操作軸６２と、この操作軸６２を回転させる操作ハンドル(操作部)４８と、一対の作動軸６４,６４と、各物品ガイド３０を支持する複数のガイド支持部６６と、操作軸６２と各作動軸６４とを連繋するウォームギヤ７４およびウォームホイール７６と、各作動軸６４と各ガイド支持部６６とを連繋するピニオンギヤ７８およびラックギヤ８０とから基本的に構成されている。
【００１５】
前述した複数の支持部材１９のうちの一つの支持部材１９の側面に一対の支持片７２,７２が配設されると共に、これら支持片７２,７２に前記操作軸６２が回転自在に架設されている。すなわち操作軸６２は、物品搬送ラインＬと交差する幅方向へ水平に延在し、その一方の端部がコンベヤ本体１０の一側方から外方へ突出するよう配設されており、この突出した操作軸６２の端部に前記操作ハンドル４８が固定されている。そして、操作軸６２における各作動軸６４の端部と交差する部位に、該作動軸６４の夫々に配設されたウォームホイール７６と噛合する一対のウォームギヤ７４,７４が、該操作軸６２と一体的に回転するよう配設されている。これらウォームギヤ７４,７４は、一方が他方に対して逆捻じれタイプとなっており、該ウォームギヤ７４,７４とウォームホイール７６,７６は物品搬送ラインＬに沿った空所Ｓの下方から退避した位置で噛合しており、該空所Ｓから落下した異物が付着し難い構造となっている。
【００１６】
前記各作動軸６４は、各物品ガイド３０の下方において回動自在に支持され、物品搬送ラインＬを挟んだ両側における前記空所Ｓから退避する位置で、前記操作軸６２と交差して延在するように配設されている。すなわち各作動軸６４は、何れも基本的に同一の長尺部材であって、前記複数の支持部材１９を貫通した状態でコンベヤ本体１０の長手方向へ平行に延在している。そして、操作軸６２に臨んでこれと交差する側の端部には、前述したように、ウォームギヤ７４,７４と噛合するウォームホイール７６,７６が、作動軸６４,６４と一体的に回転するよう配設されている。また、各作動軸６４における各ガイド支持部６６に対応する部位に、該ガイド支持部６６の夫々に固定されたラックギヤ８０と噛合するピニオンギヤ７８が、該作動軸６４と一体的に回転するよう配設されている。このような作動軸６４は、前記操作ハンドル４８を操作して操作軸６２を回転させることで、夫々のウォームギヤ７４,７４とウォームホイール７６,７６との噛合下に、相互に逆方向へ回転するようになる。
【００１７】
ガイド支持部６６は、図２に例示するように、コンベヤ本体１０の物品搬送面１２に所要間隔毎に開設した複数の案内開口部８２に係合され、物品搬送ラインＬに沿うと共に各作動軸６４に沿って所要間隔毎に複数個配設されており、夫々が物品搬送ラインＬと交差する幅方向にスライド移動可能となっている。これらガイド支持部６６は、物品搬送面１２の下方(コンベヤ本体１０の内部)に位置する支持台部８６と、この支持台部８６の上面に固定されて前記案内開口部８２を介して物品搬送面１２から突出する取付台部８４とを備え、支持台部８６と取付台部８４とでコンベヤフレーム１６と搬送ベッド１８を挟んだ状態で案内開口部８２に配設されている。そして取付台部８４の下側には、ガイド支持部６６と一体的に移動するラックギヤ８０が、その歯部を下向きに指向させた状態で固定されており、ガイド支持部６６のスライド移動時に常にピニオンギヤ７８と噛合状態に保持される。
【００１８】
これにより、物品搬送ラインＬを挟んで左右に対向する夫々のガイド支持部６６,６６は、操作ハンドル４８の回転操作に基づいて各作動軸６４が逆方向へ回転すると、夫々のピニオンギヤ７８とラックギヤ８０との噛合下に、一体的に近接または離間するようなる。なおラックギヤ８０は、前述したように歯部が下向きとなっていると共に、空所Ｓから退避した範囲内を幅方向へ進退移動するようになっている。しかも、ピニオンギヤ７８およびラックギヤ８０は、常に物品搬送ラインＬに沿った空所Ｓの下方から退避した位置で噛合しており、該空所Ｓから落下した異物が付着し難い構造となっている。
【００１９】
そして、各ガイド支持部６６における取付台部８４の上面には、前記嵌合ボス３４が嵌脱自在に嵌合する嵌合孔８８が、物品搬送ラインＬと交差する幅方向の複数箇所(本実施例では二箇所)に並設されており、嵌合ボス３４と嵌合孔８８との嵌合作用下に、物品搬送ラインＬを挟んだ両側の各ガイド支持部６６で一対の物品ガイド３０,３０を対応的に支持するようになっている。また各物品ガイド３０は、嵌合孔８８に対する嵌合ボス３４の嵌合位置を変更することで、各ガイド支持部６６に対して着脱可能でかつ幅方向への取付位置を変更可能な構造となっており、ガイド支持部６６に対する取付位置を変更することによりガイド面３２,３２間の間隔調整幅を大きく変更できる。従って、ガイド面３２の高さ寸法が異なるものや該ガイド面３２の形状を被包装物Ｍの側面形状に合わせたもの等、複数の種類の物品ガイド３０を準備しておくことにより、被包装物Ｍの高さ寸法に応じて物品ガイド３０を交換することも可能であり、様々なサイズの被包装物Ｍに対応してこれを好適に案内し得る。
【００２０】
すなわち本実施例のガイド調節機構６０では、コンベヤ本体１０の下方において、該コンベヤ本体１０の幅方向に延在して物品搬送ラインＬに交差するよう配設される構成部材は、操作ハンドル４８を固定した１本の操作軸６２だけであり、相互に交差するよう配設された操作軸６２と作動軸６４とがウォームギヤ７４とウォームホイール７６とで連繋され、また各作動軸６４と各ガイド支持部６６とがピニオンギヤ７８とラックギヤ８０とで連繋されている。そして、これらウォームギヤ７４とウォームホイール７６およびピニオンギヤ７８とラックギヤ８０は、常に物品搬送ラインＬに沿った空所Ｓの下方から退避した位置で噛合する構造となっているため、被包装物Ｍから脱落した物品カス等の異物が空所Ｓから落下した場合、該異物がウォームギヤ７４またはウォームホイール７６やピニオンギヤ７８またはラックギヤ８０へ付着することを好適に防止できる。殊に、ラックギヤ８０の歯部は下向きに配設されているため、空所Ｓの近傍まで到来したとしても異物が付着し難くなっている。
【００２１】
(実施例の作用)
次に、前述のように構成された本実施例の横型製袋充填機における物品供給コンベヤＣＶの作用につき説明する。
【００２２】
操作ハンドル４８を正逆方向へ回転させることにより、ウォームギヤ７４とウォームホイール７６の噛合下に、操作軸６２の回転に伴って各作動軸６４が反対方向へ回転し、ピニオンギヤ７８とラックギヤ８０との噛合下に、各ガイド支持部６６が相互に近接または離間するよう移動する。これにより、各ガイド支持部６６で支持された両物品ガイド３０,３０は、物品搬送面１２上を移動する被包装物Ｍの幅サイズや形状に合わせて間隔が変更される。従って、コンベヤ本体１０に供給された被包装物Ｍは、各押送部材２６に押されながら物品搬送面１２上を物品搬送ラインＬに沿って搬送される際に、間隔調節された一対の物品ガイド３０,３０で左右方向の位置決めが図られる。
【００２３】
なお、前記操作ハンドル４８の回転操作だけで適切な間隔に調節ができない場合は、嵌合孔８８に対する嵌合ボス３４の嵌合位置を変えて、各ガイド支持部６６に対する物品ガイド３０の取付位置を幅方向へ変更した後、再び操作ハンドル４８の操作により両物品ガイド３０,３０の間隔を調節すればよい。
【００２４】
このような本実施例の物品供給コンベヤＣＶでは、物品ガイド３０,３０の間隔調節を行なうためのガイド調節機構６０に関し、空所Ｓから退避した位置で噛合するウォームギヤ７４とウォームホイール７６とで操作軸６２と作動軸６４,６４とを連繋させ、同じく空所Ｓから退避した位置で噛合するピニオンギヤ７８とラックギヤ８０とで作動軸６４,６４と各ガイド支持部６６とを連繋させた構造としたことにより、被包装物Ｍから脱落した物品カス等の異物が空所Ｓから落下したとしても、該異物がウォームギヤ７４とウォームホイール７６およびピニオンギヤ７８とラックギヤ８０へ付着することが好適に防止される。すなわち、操作軸６２が物品搬送ラインＬと交差するよう配設されているものの、空所Ｓの真下に位置する部分にはネジやギヤ等の作動部分がないため、この部分に空所Ｓから落下した物品カス等の異物が付着したとしてもガイド調節機構６０の作動に支障を来たすことはない。これにより、物品ガイド３０,３０の間隔調節を行なう場合、常に軽い操作力で操作ハンドル４８による調節が可能となるため、女性その他の非力な作業オペレーターであっても簡易かつ確実に操作を行ない得る。また落下した異物は、操作軸６２のウォームギヤ７４を配設した以外の部位に付着するだけなので、付着した異物等の除去清掃作業も簡易に行ない得る。
【００２５】
また、本実施例の物品供給コンベヤＣＶでは、ガイド支持部６６に設けた嵌合孔８８と物品ガイド３０に設けた嵌合ボス３４とを嵌脱可能に構成したので、ガイド支持部６６に対する物品ガイド３０の取付位置の変更により両物品ガイド３０の間隔調整幅を大きく変更できる。更に、ガイド面３２の高さ寸法が異なるものやガイド面３２の形状を被包装物Ｍの側面形状に合わせたもの等、複数の種類の物品ガイド３０を準備しておくことにより、被包装物Ｍのサイズや形状に適合した物品ガイド３０を選択的に取付けることも可能となり、様々なサイズの被包装物Ｍの案内を好適に行ない得る。
【００２６】
なお前述した実施例では、操作軸６２を操作ハンドル４８の手動操作により回転させることで両物品ガイド３０,３０の間隔調節を行なうガイド調節機構６０を例示したが、操作軸６２をモーター等で回転させるよう構成してもよい。
【図面の簡単な説明】
【００２７】
【図１】好適実施例に係る物品供給コンベヤの構成を示すために一部破断および一部省略して示した部分平面図である。
【図２】物品供給コンベヤの構成を示すために一部破断および一部省略して示した部分側面図である。
【図３】図１のIII−III線断面図である。
【図４】図１のIV−IV線断面図である。
【図５】従来実施に係る物品供給コンベヤの構成を示すために一部破断および一部省略して示した縦断正面図である。
【符号の説明】
【００２８】
１０  コンベヤ本体
１２  物品搬送面
２６  押送手段
３０  物品ガイド
３４  嵌合ボス(凸部)
４８  操作ハンドル(操作軸)
６０  ガイド調節機構
６２  操作軸
６４  作動軸
６６  ガイド支持部
７４  ウォームギヤ
７６  ウォームホイール
７８  ピニオンギヤ
８０  ラックギヤ
８８  嵌合孔(凹部)
Ｌ  物品搬送ライン
Ｍ  被包装物
Ｓ  空所
【図１】
2006143251.tif 000003
【図２】
2006143251.tif 000004
【図３】
2006143251.tif 000005
【図４】
2006143251.tif 000006
【図５】
2006143251.tif 000007